(57)【特許請求の範囲】
【請求項１】
ヘッド支持体に可撓性配線を貼り付ける方法であって、
前記ヘッド支持体は、ロードビームと、可撓体とを含み、
前記可撓体は、磁気ヘッドを取り付けるヘッド取り付け部を有し、前記ロードビームの長手方向の一端側に備えられており、
前記可撓性配線を、吸着ヘッドによって吸着し、
前記吸着ヘッドは、主ヘッドと、副ヘッドとを含み、
前記主ヘッド及び前記副ヘッドは、互いに隣接して配置され、
前記主ヘッドは、前記可撓性配線のうち、長手方向の先端部を除き、前記ヘッド取り付け部の周囲及び前記ロードビームに対応する部分を吸着し、
前記副ヘッドは、前記可撓性配線のうち、前記長手方向の前記先端部に位置し、
前記可撓性配線を吸着した前記吸着ヘッドを、前記ヘッド支持体の上に移動させ、前記可撓性配線を前記ヘッド支持体に貼り付ける
工程を含む可撓性配線の貼り付け方法。
【請求項２】
請求項１に記載された貼り付ける方法であって、
前記吸着ヘッドは、更に、補助ヘッドとを含み、前記補助ヘッドは、前記可撓性配線のうち、前記ロードビームの長手方向の他端に対応する部分を吸着する
貼り付け方法。
【発明の詳細な説明】
【０００１】
【発明の属する技術分野】
本発明は、ヘッド支持体に可撓性配線（以下ＦＰＣと称する）を貼り付ける方法に関する。
【０００２】
【従来の技術】
浮上型磁気ディスク装置においては、長年、ヘッド支持体に撚り対線を添わせ、撚り対線を、レーザ溶接等の手段によって、ヘッド支持体に取り付けられた磁気ヘッドの取り出し電極（バンプ）に接続する構造が採用されてきたが、磁気ヘッドの小型化及び磁気ヘッドの浮上量の低減等により、高精度の重量バランスが必要になってきたことから、配線一体磁気ヘッド装置が用いられるようになってきている。
【０００３】
また、最近は、別に作製されたＦＰＣをヘッド支持体（サスペンション）に接着するＦＰＣ接着型磁気ヘッド装置も実用化されつつある。本発明は、このＦＰＣ接着型磁気ヘッド装置に係る。
【０００４】
ＦＰＣ接着型磁気ヘッド装置は、バネ性の小さなＦＰＣを用いているので、磁気ヘッドが小型化され、ヘッド支持体から磁気ヘッドに印加される荷重が小さくなった場合でも、磁気ヘッドの浮上特性に対する影響を小さくし、優れた浮上特性を確保できるという点で、撚り対線を用いた磁気ヘッド装置及び配線一体磁気ヘッド装置よりも優れている。
【０００５】
ＦＰＣの貼り付け対象となるヘッド支持体は、ロードビームと、フレキシャ（可撓体）とを含む。可撓体は、ロードビームの自由端側に、溶着その他の機械的結合手段によって取り付けられる。可撓体は、舌状のヘッド取り付け部を有している。ヘッド取り付け部は、ロードビームに備えられた荷重用突起による押圧荷重を受けて、若干浮き上がり、荷重点を中心にして、ピッチ及びロールの運動を行う。
【０００６】
上述した構造のヘッド支持体において、吸着ヘッドを用いてロードビーム及び可撓体にＦＰＣを貼り付けた場合、可撓体の、特に、舌状ヘッド取り付け部が、ロードビームの平面位置よりも高い位置にあるため、ヘッド取り付け部に不要な押圧力が加わり、静止状態でみたピッチ角及びロール角（静止姿勢角）に影響を及ぼしてしまう。
【０００７】
しかも、可撓体は、溶着その他の機械的結合手段によってロードビームに機械的に結合されているから、可撓体とロードビームとの間には、段差が生じている。このため、ロードビーム及び可撓体に対し、同一の吸着ヘッドを用いてＦＰＣを貼り付けた場合、可撓体及びロードビームに対する貼り付け押圧力に差を生じてしまい、ＦＰＣの密着性を、可撓体及びロードビームの間で均一化することが困難である。
【０００８】
更に、可撓体の舌状ヘッド取り付け部が、ロードビームの平面位置よりも高い位置にあるため、同一の吸着ヘッドを用いて、ロードビーム及び可撓体にＦＰＣを貼り付けた場合、ロードビームの部分よりも、可撓体の部分で、より大きな押し付け力が加わり、可撓体の特にヘッド取り付け部分、及び、ＦＰＣにダメージを与えてしまうことがある。
【０００９】
【発明が解決しようとする課題】
本発明の課題は、静止姿勢角に影響を及ぼすことなく、ＦＰＣをヘッド支持体に貼り付けることの可能なＦＰＣ貼り付け方法を提供することである。
【００１０】
本発明のもう一つの課題は、可撓体及びロードビームの間で、ＦＰＣの密着性を均一化することの可能なＦＰＣ貼り付け方法を提供することである。
【００１１】
本発明の更にもう一つの課題は、可撓体、及び、ＦＰＣに対するダメージを回避し得るＦＰＣ貼り付け方法を提供することである。
【００１２】
【課題を解決するための手段】
上述した課題を解決するため、本発明に係る貼り付け方法は、ヘッド支持体にＦＰＣを貼り付けるために適用される。前記ヘッド支持体は、ロードビームと、可撓体とを含む。前記可撓体は磁気ヘッドを取り付けるヘッド取り付け部を有し、前記ロードビームの長手方向の一端側に備えられている。
【００１３】
そして、ＦＰＣを、吸着ヘッドによって吸着し、吸着ヘッドを、前記ヘッド支持体の上に移動させ、前記ＦＰＣを前記ヘッド支持体に貼り付ける。
【００１４】
ここで、本発明において用いられる前記吸着ヘッドは、主ヘッドと、副ヘッドとを含む分割型ヘッドである。主ヘッド及び副ヘッドは、互いに隣接して配置される。主ヘッドは、前記ＦＰＣのうち、長手方向の先端部を除き、前記ヘッド取り付け部の周囲及び前記ロードビームに対応する部分を吸着する。前記副ヘッドは、前記可撓性配線のうち、前記長手方向の先端部に位置する。
【００１５】
上述した分割型ヘッドを採用することにより、可撓体の形状、及び、条件に合わせて、主ヘッド及び副ヘッドを構成し、ＦＰＣを押さえ付け、かつ、貼り付けることができる。このため、可撓体の、特に、舌状ヘッド取り付け部に不要な押圧力が加わるのを回避し、静止姿勢角に対する影響を、極めて小さくすることができる。
【００１６】
また、可撓体に対する貼り付け押圧力を、適切に設定し、ＦＰＣの密着性を、可撓体及びロードビームの間で均一化することができる。
【００１７】
更に、可撓体に対する貼り付け押圧力を適切に設定し得るので、可撓体の、特に、ヘッド取り付け部分、及び、ＦＰＣに対するダメージを回避することができる。
【００１８】
より具体的には、主ヘッドは、ＦＰＣのうち、長手方向の先端部を除き、ヘッド取り付け部の周囲及びロードビームに対応する部分を吸着する。従って、可撓体のヘッド取り付け部におけるピッチ角及びロール角（静止姿勢角）に対する影響を極めて小さくしつつ、ＦＰＣを可撓体に密着させることができる。
【００１９】
更に、副ヘッドは、可撓性配線のうち、長手方向の先端部に位置するから、副ヘッドによって、可撓性配線の先端部をヘッド支持体に確実に押し付けることができる。このため、ＦＰＣの密着性を高めることができる。
【００２０】
前記吸着ヘッドは、更に、補助ヘッドを含むことができる。補助ヘッドは、ＦＰＣのうち、ロードビームの長手方向の他端に対応する部分を吸着する。この構成により、ＦＰＣの垂れ下がりを回避することができる。
【００２１】
本発明の他の目的、構成及び効果については、実施の形態である添付図を参照して詳しく説明する。
【００２２】
【発明の実施の形態】
図１は本発明に係る貼り付け方法を説明する斜視図、図２は図１に示した貼り付け方法を具体的に示す断面図である。これらの図に示されているように、本発明に係る貼り付け方法では、ヘッド支持体５にＦＰＣ１３０を貼り付けるにあたり、ＦＰＣ１３０を、吸着ヘッド２によって吸着する。
【００２３】
ヘッド支持体５は、ロードビーム５１と、可撓体５２とを含む。ロードビーム５１は、通常、中央を通る長手方向軸線の自由端近傍に荷重用突起部を有する。図示されたロードビーム５１は、幅方向の両側に折り曲げ部を有しており、この折り曲げ部により、剛性を増加させてある。ロードビーム５１は、種々の構造、形状をとることができ、図示実施例には限定されない。例えば、ロードビーム５１には、記録媒体（図示しない）に対する磁気ヘッドの追従性を向上させるための孔、または、全体の弾性を増すための孔等が設けられることがある。
【００２４】
可撓体５２は薄いバネ板材で構成され、ロードビーム５１の自由端側に備えられている。より具体的には、一方の面がロードビーム５１の突起部を有する側の面に取り付けられ、突起部５２５から押圧荷重を受けている。可撓体５２は、ロードビーム５１の突起部５２５を有する側に接合されている。
【００２５】
更に、可撓体５２は、ヘッド取り付け部となる舌状部５２０を有する。舌状部５２０は、一端が可撓体５２の横枠部５２１に結合されている。可撓体５２の横枠部５２１は両端が外枠部５２３、５２４に連なっている。外枠部５２３、５２４と舌状部５２０との間には、溝５２２が形成されている。舌状部５２０の他面には、突起部５２５の先端が接触しており、これにより、ヘッド取り付け部となる舌状部５２０は、直交２軸の周りの２自由度、即ち、ピッチ及びロールの２つの自由度を有するようになる。
【００２６】
図２を参照すると、ヘッド支持体５は、受け台６の一面上にセットされている。受け台６の一面上には、凹受け部６１等が設けられており、凹受け部６１を利用して、ヘッド支持体５の可撓体５２に含まれるヘッド取り付け部５２０に荷重が加わらないように支持する。凹受け部６１は、可撓体５２の舌状部５２０よりも少し大きな開口面積をもっている。
【００２７】
ＦＰＣ１３０は、プラスチック薄膜層３１の内部に、平面状導体膜３２を有している。平面状導体膜３２は、薄膜磁気ヘッドにおいて、書き込み／読み出し信号を外部回路に伝送するために用いられる。ＦＰＣ１３０は、可撓体５２のヘッド取り付け部分５２０に対応する枠部３５、枠部３５によって囲まれた抜き穴３４、及び、溝５２２に対応する切り抜き溝３６等を有する。但し、ＦＰＣ１３０の形状は、可撓体５２の形状に応じて変化するもので、図示の構造には限定されない。
【００２８】
吸着ヘッド２は、ＦＰＣ１３０を吸着する。図示された吸着ヘッド２は、主ヘッド２１、副ヘッド２２と、補助ヘッド２３とを含む。
【００２９】
主ヘッド２１及び副ヘッド２２は互いに隣接して配置される。具体的には、主ヘッド２１は、ＦＰＣ１３０のうち、可撓体５２のヘッド取り付け部分５２０に対応する枠部３５を吸着し、副ヘッド２２はＦＰＣ１３０のうち、ヘッド取り付け部分５２０の外側の部分、例えば、横枠部５２１に対応する部分を押える。
【００３０】
主ヘッド２１及び副ヘッド２２は、吸着ヘッド２の内部に装着され、吸着ヘッド２の内部空間に配置された空気スプリングまたはバネ等の適当なクッション２４、２５により押圧されており、クッション作用を受けながら動くことができる。
【００３１】
主ヘッド２１の押し付け面の形状及び構造は、可撓体５２のヘッド取り付け部におけるピッチ角及びロール角（静止姿勢角）に対して、不要な押し付け力が加わらないような構造とする。図示された主ヘッド２１は、ヘッド取り付け部分５２０に対応する部分に、凹部２０を有し、凹部２０の周りに、可撓体５２の外枠部５２３、５２４（図１参照）を押圧する押圧面を有する。主ヘッド２１は、下向きに開口する真空吸着孔２１１を有する。真空吸着孔２１１は、通気路２６及び図示しない可撓性ホース等を通って、真空装置に導かれる。
【００３２】
補助ヘッド２３は主ヘッド２１及び副ヘッド２２から、間隔を隔てて配置されている。補助ヘッド２３は、下向きに開口する真空吸着孔２３１を有する。真空吸着孔２３１は、吸着ヘッド２に形成された通気路２６及び図示しない可撓性ホース等を通って、真空装置に導かれる。
【００３３】
そして、吸着ヘッド２の吸着作用により、ＦＰＣ１３０を吸着する。図３は吸着状態における主ヘッド２１及び副ヘッド２２と、ＦＰＣ１３０との関係を示す拡大断面図、図４は図３の４ー４線に沿った断面図である。図３、４とともに、図１、２を参照すると明らかなように、主ヘッド２１には、可撓体５２のヘッド取り付け部５２０に対応する枠部３５を囲む凹部２０が設けられている。凹部２０は、副ヘッド２２と対向する側が開口されている。凹部２０の側部に位置して外枠部５２３、５２４と対応する部分、及び、その後方には、真空吸入孔２１１が設けられている。従って、主ヘッド２１は、ＦＰＣ１３０のうち、長手方向の先端部を除き、可撓体５２のヘッド取り付け部５２０の周囲にある外枠部５２３、５２４と対応する部分、及び、ロードビーム５１に対応する部分等を吸着する（図１、２参照）。
【００３４】
副ヘッド２２は、ＦＰＣ１３０のうち、長手方向の先端部に位置し、可撓体５１の横枠部５２１に対応する部分を押える。副ヘッド２２は真空吸入孔を持たないので、ＦＰＣ１３０を吸着するものではない。
【００３５】
補助ヘッド２３は、ＦＰＣ１３０のうち、ロードビーム２３の長手方向の他端に対応する部分を吸着する。
【００３６】
上述のようにして、ＦＰＣ１３０を吸着した吸着ヘッド２を、図２に示すように、矢印ｅ１の方向に移動させ、図５に図示するように、ＦＰＣ１３０をヘッド支持体５に貼り付ける。図６は図５の状態において、主ヘッド２１及び副ヘッド２２の部分を拡大して示す図、図７は図６の７ー７線に沿った断面図である。
【００３７】
既に説明したように、本発明では、主ヘッド２１及び副ヘッド２２の組み合わせによる分割型ヘッドとしてあるので、可撓体５２の形状、及び、条件に合わせて、主ヘッド２１及び副ヘッド２２を構成し、ＦＰＣ１３０を、適切に押さえ付け、かつ、貼り付けることができる。このため、可撓体５２の、特に、舌状ヘッド取り付け部分５２０に不要な押圧力が加わるのを回避し、静止状態でみたピッチ角及びロール角（静止姿勢角）に対する影響を、極めて小さくすることができる。
【００３８】
更に、可撓体５２に対する貼り付け押圧力を、適切に設定し得るので、可撓体５２の、特に、ヘッド取り付け部分５２０、及び、ＦＰＣ１３０に対するダメージを回避することができる。
【００３９】
この点について、図６、７を参照して更に具体的に説明する。まず、可撓体５２のヘッド取り付け部分５２０に対応する部分に、凹部２０を有し、その周りの端面で、ＦＰＣ１３０を吸着し、外枠部５２３、５２４に押し付ける設計になっているから、可撓体５２のヘッド取り付け部５２０におけるピッチ角及びロール角（静止姿勢角）に対する影響を極めて小さくすることができる。
【００４０】
副ヘッド２２は、ＦＰＣ１３０のうち、長手方向の先端部に位置し、可撓体５１の横枠部５２１に対応する部分を押えるから、ＦＰＣ１３０をヘッド支持体５に貼り付けるに当って、副ヘッド２２によって、ＦＰＣ１３０をヘッド支持体５に対して、確実に押し付けることができる。
【００４１】
ＦＰＣ１３０には、図４〜図７に明示されているように、薄膜磁気ヘッドに接続するための導体パターン３２が露出しており、この導体導体パターン３２は、軟らかく、傷つき易い。本発明では、副ヘッド２２により、この導体パターン３２の部分を、優しく押さえ付けることができるので、導体パターン３２の損傷を回避することができる。
【００４２】
また、可撓体５２に対する貼り付け押圧力を、適切に設定し、ＦＰＣ１３０の密着性を、可撓体５２及びロードビーム５１の間で均一化することができる。
【００４３】
更に、本発明においては、補助ヘッド２３を有しているから、補助ヘッド２３によって、ＦＰＣ１３０を吸着し、ＦＰＣ１３０の垂れ下がりを回避することができる。
【００４４】
【発明の効果】
以上述べたように、本発明によれば、次のような効果を得ることができる。
（ａ）静止姿勢角に影響を及ぼすことなく、ＦＰＣをヘッド支持体に貼り付けることの可能なＦＰＣ貼り付け方法を提供することができる。
（ｂ）可撓体及びロードビームの間で、ＦＰＣの密着性を均一化することの可能なＦＰＣ貼り付け方法を提供することができる。
（ｃ）可撓体、及び、ＦＰＣに対するダメージを回避し得るＦＰＣ貼り付け方法を提供することができる。
【図面の簡単な説明】
【図１】本発明に係る貼り付け方法を説明する斜視図である。
【図２】図１に示した貼り付け方法を具体的に示す断面図である。
【図３】吸着状態における主ヘッド及び副ヘッドと、ＦＰＣとの関係を示す拡大断面図である。
【図４】図３の４ー４線に沿った断面図である。
【図５】本発明に係る貼り付け方法に含まれる最初の工程を示す斜視図である。
【図６】図５の状態において主ヘッド及び副ヘッドの部分を拡大して示す図である。
【図７】図６の７ー７線に沿った断面図である。
【符号の説明】
５                      ヘッド支持体
１３０                  ＦＰＣ
２１                    主ヘッド
２２                    副ヘッド
２３                    補助ヘッド
【図１】
0003539558.tif 000002
【図２】
0003539558.tif 000003
【図３】
0003539558.tif 000004
【図４】
0003539558.tif 000005
【図５】
0003539558.tif 000006
【図６】
0003539558.tif 000007
【図７】
0003539558.tif 000008